(57)【要約】【課題】スライド機構を備えた携帯電話機などの携帯電子機器の画面を、スライド終了位置でのみ回転できるようにする。【解決手段】携帯電子機器の上筐体には、回転基板２にスライド自在に保持されているスライダー１が固定されている。スライダー１は、スライド回転案内ピン５に案内されるスライド回転案内溝４を備えている。下筐体には、２本の回転案内溝６とスライド回転案内ピン５を有する固定基板３が固定されている。固定基板３には、回転案内溝６に案内される２本の回転案内ピン７を備える回転基板２が、回転自在に保持されている。スライド動作を案内する直線部分と、回転動作を案内する曲線部分とからなるスライド回転案内溝を、下筐体に固定されたスライド回転案内ピン５に沿って動かすことで、上筐体を下筐体に対してスライドして回転させる。【選択図】図１
2010199653.tif 000002
【特許請求の範囲】
【請求項１】
表示部を有する上筐体と、操作部を有する下筐体と、２本の回転案内溝を有し前記下筐体に固定される固定基板と、前記回転案内溝に案内される２本の回転案内ピンを有し前記固定基板に回転可能に保持される回転基板と、前記回転基板にスライド可能に保持され前記上筐体に固定されたスライダーとを具備するスライド回転機構において、前記固定基板は、スライド回転案内ピンを備え、前記スライダーは、前記スライド回転案内ピンを案内するスライド回転案内溝を備え、前記スライド回転案内溝は、スライド動作開始からスライド動作終了までを案内する直線部分と、前記直線部分のスライド動作終了位置につながる曲線部分とからなる１本の溝であり、前記曲線部分は、前記スライダーのスライド動作終了位置にて、前記回転案内ピンが前記回転案内溝に案内されて回転する時に、前記スライド回転案内ピンが描く軌跡であることを特徴とするスライド回転機構。
【発明の詳細な説明】
【技術分野】
【０００１】
本発明は、スライド回転機構に関し、特に、携帯電話機やPDAや携帯ゲーム機などの携帯電子機器の表示部筐体をスライドさせて横長に回転させるスライド回転機構に関する。
【背景技術】
【０００２】
従来の携帯電話機には、スライド機構を備えたものがある。また、ヒンジ機構と回転機構を備えたものもある。さらに、スライド機構と回転機構を備えたものもある。回転機構としては、１つの軸のまわりに回転するもの（一軸型回転機構）と、横滑りするように回転するもの（横滑り型回転機構）とがある。スライド動作やヒンジ動作と独立に動くものと、回転にともなってスライドするものとがある。以下に、これに関連する従来技術の例をいくつかあげる。
【０００３】
特許文献１に開示された「携帯端末用取付装置」は、キーボード部とディスプレイ部がスライド可能な携帯端末に、水平方向へ回転させる回転機能を付加したものである。図４（ａ）に示すように、ガイド長孔を備えた本体部を、キーボード部の長手方向に取り付ける。ディスプレイ部を水平方向へ回転するための可動部を、ガイド長孔を介して本体部にスライド可能に取り付けるとともに、ディスプレイ部に取り付ける。こうして、キーボード部とディスプレイ部を相対的にスライド可能かつ水平方向へ回転可能に連結する。
【０００４】
特許文献２に開示された「携帯電話機」は、表示部の向きを変えることができる小型の携帯電話機である。図４（ｂ）に示すように、表示部には、情報を表示する表示パネルが前面にある。操作部には、ユーザが操作する操作キーがある。本体部は、表示部の背面に重ねて取り付けられていて、表示部を回転可能に支持する。レバーには、第１カム突起と第２カム突起があり、表示部と異なる回動中心で本体部に回動可能に支持されている。第１カム突起に係合する第１カム溝が、表示部と一体に回転する板カムに設けられている。第２カム突起に係合する第２カム溝が、操作部に設けられている。表示部を回転して向きを変えると、第１カム突起と第１カム溝とが係合して、レバーが回動する。レバーの回動に伴って、第２カム突起と第２カム溝とが係合して、操作部がスライド移動して、本体部から突出する。表示部を回転して向きを元に戻すと、操作部が本体部内に収納される。
【０００５】
特許文献３に開示された「スライド装置」は、スムーズにスライドして、所定位置でクリック係合して位置決めされるものである。図５（ａ）に示すように、スライド装置は、本体部と表示部とをスライド自在に連結する。スライド方向のガイドレールを表示部に設け、ガイドレールにスライド自在に係合するスライド部を本体部に設けてある。クリック係合ピンをスライド部に設け、クリック係合部をガイドレールに設けてある。クリック係合ピンはばねで押されていて、クリック係合部に係合する。スライド移動させる部材を、回動機構により回動させて、向きを自在に切り替えられる。所定範囲ではスライド可能であるが回動は不能であり、所定のスライド位置でのみ回動可能である。
【０００６】
特許文献４に開示された「ヒンジ機構」は、液晶画面を縦長状態と横長状態とに変化させることができるものである。図５（ｂ）に示すように、第１筐体と第２筐体とが重なり合う部分に、第１筐体と第２筐体とを接続するヒンジ機構を設ける。ヒンジ機構には、スライドレールと中間体と固定部と回転接続部がある。スライドレールを、第１筐体の重なり合う面に固定する。中間体はスライドレールに係合して、スライドレール上をスライド移動する。固定部を、第２筐体の重なり合う面に固定する。回転接続部で、固定部を中間体に回転可能に接続する。
【先行技術文献】
【特許文献】
【０００７】
【特許文献１】特開2004-320549号公報
【特許文献２】特開2006-080713号公報
【特許文献３】特開2007-088746号公報
【特許文献４】特開2008-092264号公報
【発明の概要】
【発明が解決しようとする課題】
【０００８】
しかし、従来のスライド機構と回転機構を組み合わせたスライド回転機構では、次のような問題がある。スライド動作終了位置以外では回転不可能とし、スライド動作終了位置のみで回転可能とする機構が複雑大型で、携帯電話機などに用いるのは不適当である。したがって、携帯電話機などを軽快に利用できるようにするには、スライド回転機構を薄型で小型にする必要がある。
【０００９】
従来のスライド機構に一軸型回転機構を組み合わせたスライド回転機構では、次のようになる。表示部筐体を横長状態にしたとき、対称的なＴ字形に近いほうが、バランスが良く自然に見えて使いやすい。しかし、このようにするには、スライド量を多くする必要があり、小型にできない。スライド量を少なくすると、図６に示すように、回転時に表示部筐体が操作部筐体を通る部分が大きくなるので、操作部を広くできない。このように、一軸型回転機構を用いたのでは、小型にできない。
【００１０】
そこで、従来のスライド機構に横滑り型回転機構を単純に組み合わせたスライド回転機構とすることが考えられる。この場合、収納状態から完全伸張状態までは表示部筐体が回転しないほうがよいので、スライド動作と回転動作が同時に起きないようにする機構が複雑になって、薄型で小型にすることができない。コストを低減するためには、できるだけ簡単な構造で実現する必要がある。
【００１１】
本発明の目的は、上記従来の問題を解決して、携帯電話機などの携帯電子機器で、スライド動作が終了した位置でのみ画面を横長に回転できるスライド回転機構を、薄型で小型にすることである。
【課題を解決するための手段】
【００１２】
上記の課題を解決するために、本発明では、表示部を有する上筐体と、操作部を有する下筐体と、２本の回転案内溝を有し下筐体に固定される固定基板と、回転案内溝に案内される２本の回転案内ピンを有し固定基板に回転可能に保持される回転基板と、回転基板にスライド可能に保持され上筐体に固定されたスライダーとを具備するスライド回転機構の固定基板に、スライド回転案内ピンを備え、スライダーに、スライド回転案内ピンを案内するスライド回転案内溝を備え、スライド回転案内溝は、スライド動作開始からスライド動作終了までを案内する直線部分と、直線部分のスライド動作終了位置につながる曲線部分とからなる１本の溝であり、曲線部分は、スライダーのスライド動作終了位置にて、回転案内ピンが回転案内溝に案内されて回転する時に、スライド回転案内ピンが描く軌跡とした。
【発明の効果】
【００１３】
上記のように、横滑り型回転機構と１本のスライド回転案内溝を用いてスライド回転機構を構成したことにより、携帯電話機などの携帯電子機器で、スライド終了位置でのみ画面を回転できるスライド機構を、薄型で小型にできるとともに、操作部を広くすることができ、横長状態の表示部をほぼ対称的な位置にバランスよく配置できる。
【図面の簡単な説明】
【００１４】
【図１】本発明の実施例におけるスライド回転機構の平面図と側面図と裏面図である。
【図２】本発明の実施例におけるスライド回転機構のスライド状態を示す平面図である。
【図３】本発明の実施例におけるスライド回転機構の回転途中の状態とTV視聴状態と回転経過を示す平面図である。
【図４】従来のスライド機構と回転機構の概念図である。
【図５】従来のスライド機構と回転機構の概念図である。
【図６】従来のスライド機構と一軸型回転機構を組み合わせた場合の動作を示す説明図である。
【発明を実施するための形態】
【００１５】
以下、本発明を実施するための最良の形態について、図１〜図３を参照しながら詳細に説明する。
【実施例】
【００１６】
本発明の実施例は、スライド開始からスライド終了までを案内する直線部分と、直線部分のスライド終了位置につながり、回転を案内する曲線部分とからなる１本のスライド回転案内溝を、下筐体に固定されたスライド回転案内ピンに沿って動かすことで、上筐体を下筐体に対してスライドして回転させるスライド回転機構である。
【００１７】
図１は、本発明の実施例におけるスライド回転機構の平面図と側面図と裏面図である。図２は、スライド回転機構のスライド過程を示す平面図である。図３は、スライド回転機構の回転途中状態とTV視聴状態と回転経過を示す平面図である。
【００１８】
図１〜図３において、スライダー１は、上筐体に固定されていて、スライド回転案内ピン５に案内されるスライド回転案内溝４を備え、回転基板２にスライド可能に保持される基板である。回転基板２は、回転案内溝に案内される２本の回転案内ピン７を備え、固定基板に回転可能に保持される基板である。固定基板３は、スライド回転案内ピン５と２本の回転案内溝６を備え、下筐体に固定されている基板である。
【００１９】
スライド回転案内溝４は、スライド動作開始からスライド動作終了までを案内する直線部分と、直線部分のスライド動作終了位置につながり回転動作を案内する曲線部分とからなる１本の溝である。スライド回転案内ピン５は、スライド回転案内溝４に沿ってスライダーが動くように、固定基板３に固定されたピンである。回転案内溝６は、回転基板の回転を案内するために固定基板に設けられた２本の溝である。回転案内ピン７は、回転基板の回転を案内するために回転基板２に設けられた２本のピンである。スライド用ばね８は、スライド動作を援けるばねである。回転用ばね９は、回転動作を援けるばねである。この例では、回転動作用のばねを横方向に移動する回転案内ピンに掛けているが、縦方向に移動する回転案内ピンに掛けることも可能である。
【００２０】
上記のように構成された本発明の実施例におけるスライド回転機構の機能と動作を説明する。最初に、図１を参照しながら、スライド回転機構の機能の概要を説明する。表示部を有する上筐体と、操作部を有する下筐体は、図示していないが、従来の携帯電話機やPDAや携帯ゲーム機などの携帯電子機器と同様である。上筐体には、回転基板２にスライド可能に保持されているスライダー１が固定されている。スライダー１は、スライド回転案内ピン５に案内されるスライド回転案内溝４を備えている。
【００２１】
下筐体には、２本の回転案内溝６とスライド回転案内ピン５を有する固定基板３が固定されている。固定基板３には、回転案内溝６に案内される２本の回転案内ピン７を備える回転基板２が回転可能に保持されている。スライド回転案内溝４は、スライド動作開始からスライド動作終了までを案内する直線部分と、直線部分のスライド動作終了位置につながり、回転動作を案内する曲線部分とからなる１本の溝である。曲線部分は、スライダー１のスライド動作終了位置にて、回転案内ピン７が回転案内溝６に案内されて回転する時に、スライド回転案内ピン５が描く軌跡である。
【００２２】
次に、スライド回転機構の各部の機能を説明する。上筐体に固定されているスライダー１は、回転基板２にスライド可能に保持されている。スライド回転案内溝４がスライド回転案内ピン５に案内されて、スライダー１は、スライドし回転する。回転基板２の２本の回転案内ピン７が、固定基板３の回転案内溝６に案内されて、固定基板３に対して回転する。下筐体に固定されている固定基板３のスライド回転案内ピン５は、スライダー１のスライド回転案内溝４に沿ってスライダー１が動くように案内する。固定基板３の２本の回転案内溝６は、回転基板２の２本の回転案内ピン７を案内して、回転基板２を回転させる。
【００２３】
スライド回転案内溝４は、直線部分でスライダー１のスライド動作開始からスライド動作終了までを案内する。曲線部分で、スライダー１の回転動作を案内する。固定基板３に固定されたスライド回転案内ピン５は、スライド回転案内溝４に沿ってスライダーが動くように案内する。固定基板３に設けられた２本の回転案内溝６は、回転基板２に設けられた２本の回転案内ピン７を案内して、回転基板２を回転させる。
【００２４】
次に、図２を参照しながら、スライド動作を説明する。図２（ａ）に示す収納状態では、回転基板２は回転していない状態であり、スライダー１は、最も下がった位置にあり、上筐体と下筐体が重なった状態になっている。スライド回転案内ピン５は、スライド回転案内溝４の最上部にある。スライド用ばね８により、スライダー１に下向きの力が働いている。したがって、収納状態に安定に保持されている。
【００２５】
図２（ｂ）に示すスライド途中の状態では、回転基板２は回転していない状態であり、スライダー１は中間の位置にあり、上筐体と下筐体が半分だけ重なった状態になっている。スライド回転案内ピン５は、スライド回転案内溝４の直線の中間部にある。スライド用ばね８の力は、中間位置付近でスライダー１にかかる向きが変わる。中間位置付近を過ぎると、スライダー１に上向きの力が働いて、外力を与えなくても、スライダー１は開く方向に動く。スライド途中で回転させようとしても、スライド回転案内溝４はスライド回転案内ピン５により縦方向に動きが規制されているので、回転方向に動くことはできない。
【００２６】
図２（ｃ）に示す通話状態では、回転基板２は回転していない状態であり、スライダー１は最上部の位置にあり、上筐体と下筐体が少しだけ重なった状態になっている。スライド回転案内ピン５は、スライド回転案内溝４の直線の最下端部にある。スライド用ばね８により、スライダー１に上向きの力が働いている。したがって、通話状態に安定に保持されている。閉じる場合は、この逆の動きになる。
【００２７】
次に、図３を参照しながら、スライド回転機構の回転動作を説明する。動作を判りやすくするために、スライド用ばねと回転用ばねは図示を省略してある。図３（ａ）に示す回転基板２が回転する直前の状態は、図２（ｃ）に示した通話状態である。この状態では、スライド回転案内ピン５は、スライド回転案内溝４の曲線部の左端にある。上側の回転案内ピン７は、直線状の回転案内溝６の下端にある。下側の回転案内ピン７は、弧状の回転案内溝６の右端にある。この状態では、回転用ばね９により、回転基板２に対して左回転方向の回転モーメントが働いている。したがって、回転基板２は、右回転しないように安定に保持されている。
【００２８】
回転を始めると、図３（ｂ）に示すように、スライド回転案内ピン５は、スライド回転案内溝４の曲線部の左端から右方向に相対的に動く。実際は、スライド回転案内溝４が左方向に動く。上側の回転案内ピン７は、直線状の回転案内溝６の下端から上方向に動く。下側の回転案内ピン７は、弧状の回転案内溝６の右端から左方向に動く。このとき、上筐体は、上方に横滑りしながら回転するので、回転前の位置より下に来ることはない。したがって、下筐体の操作部を上筐体の下部が覆うことはなく、操作部は上筐体によって妨害されない。
【００２９】
さらに回転して、回転基板２が45°回転すると、図３（ｃ）に示す状態になる。回転基板２が45°程度回転すると、回転用ばね９による回転モーメントの向きが変わり、回転基板２を右回転させる方向の回転モーメントが働く。したがって、回転基板２は、外力を加えなくても、右方向に回転する。スライダー１は、回転基板２の回転に伴って回転するが、スライド方向の自由度はスライド回転案内溝４の曲線部に規制されているので、スライド回転案内溝４の曲線部に沿って少しスライドしながら回転する。
【００３０】
さらに少し回転すると、スライド回転案内ピン５は、スライド回転案内溝４の曲線部の右端にくる。上側の回転案内ピン７は、直線状の回転案内溝６の上端の少し下にある。下側の回転案内ピン７は、弧状の回転案内溝６の上端の少し左にある。この回転動作中に、上筐体は回転しながら左方向に横滑りしているので、上筐体の中心は下筐体の中心線の方向に近付くように動く。したがって、上筐体はほぼ対称的なＴ字形になるように移動していく。
【００３１】
さらに回転して、回転基板２が60°を過ぎて回転すると、図３（ｄ）に示す状態になる。さらに回転して、回転基板２が90°回転すると、図３（ｅ）に示す状態になる。これが、TV視聴状態である。この状態では、スライド回転案内ピン５は、スライド回転案内溝４の曲線部の上左端にある。上側の回転案内ピン７は、直線状の回転案内溝６の下端にある。下側の回転案内ピン７は、弧状の回転案内溝６の左端にある。この状態では、回転用ばね９により、回転基板２に対して右回転方向の回転モーメントが働いている。したがって、回転基板２は、左回転しないように安定に保持されている。この状態から回転基板２を左方向に回転させる場合の動きは、この逆になる。
【００３２】
上記のように、本発明の実施例では、スライド回転機構を、スライド開始からスライド終了までを案内する直線部分と、直線部分のスライド終了位置につながり、回転を案内する曲線部分とからなる１本のスライド回転案内溝を、下筐体に固定されたスライド回転案内ピンに沿って動かすことで、上筐体を下筐体に対してスライドして回転させる構成としたので、スライド終了位置でのみ画面を回転可能とする機構を小型薄型にでき、さらに、スライド量が少なくても操作部を妨害することなく、上筐体をほぼ対称的なバランスよいＴ字形の横長状態にでき、操作に違和感がなくなる。
【産業上の利用可能性】
【００３３】
本発明のスライド回転機構は、携帯電話機やPDAや携帯ゲーム機などの携帯電子機器の表示部筐体をスライドして開いて、画面を横長に回転させるスライド回転機構として最適である。
【符号の説明】
【００３４】
１  スライダー
２  回転基板
３  固定基板
４  スライド回転案内溝
５  スライド回転案内ピン
６  回転案内溝
７  回転案内ピン
８  スライド用ばね
９  回転用ばね
【図１】
2010199653.tif 000003
【図２】
2010199653.tif 000004
【図３】
2010199653.tif 000005
【図４】
2010199653.tif 000006
【図５】
2010199653.tif 000007
【図６】
2010199653.tif 000008